【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、
所定量の稼動毎の始動入賞数である稼動単位宛始動入賞数を収集する稼動単位宛始動入賞数収集手段と、
所定量の稼動毎の変動表示ゲーム実行回数である稼動単位宛スタート数を収集する稼動単位宛スタート数収集手段と、
前記稼動単位宛始動入賞数収集手段が収集した複数の稼動単位宛始動入賞数の統計分布から稼動単位宛始動入賞数の代表値を算出し、前記稼動単位宛スタート数収集手段が収集した複数の稼動単位宛スタート数の統計分布から稼動単位宛スタート数の代表値を算出する統計処理算出手段と、
前記稼動単位宛始動入賞数の代表値と前記稼動単位宛スタート数の代表値との乖離程度を評価して評価値を生成する評価値生成手段と、を備えることを特徴とする遊技システム。
【請求項２】
始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、
所定量の稼動毎の始動入賞数である稼動単位宛始動入賞数を収集する稼動単位宛始動入賞数収集手段と、
所定量の稼動毎の変動表示ゲーム実行回数である稼動単位宛スタート数を収集する稼動単位宛スタート数収集手段と、
前記稼動単位宛始動入賞数収集手段が収集した複数の稼動単位宛始動入賞数の統計分布から稼動単位宛始動入賞数の分散を算出し、前記稼動単位宛スタート数収集手段が収集した複数の稼動単位宛スタート数の統計分布から稼動単位宛スタート数の分散を算出する統計処理算出手段と、
前記稼動単位宛始動入賞数の分散と前記稼動単位宛スタート数の分散との乖離程度を評価して評価値を生成する評価値生成手段と、を備えることを特徴とする遊技システム。
【請求項３】
始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、
所定量の稼動毎の始動入賞数である稼動単位宛始動入賞数を収集する稼動単位宛始動入賞数収集手段と、
所定量の稼動毎の変動表示ゲーム実行回数である稼動単位宛スタート数を収集する稼動単位宛スタート数収集手段と、
前記稼動単位宛始動入賞数収集手段が収集した複数の稼動単位宛始動入賞数の統計分布から稼動単位宛始動入賞数の代表値を算出し、前記稼動単位宛スタート数収集手段が収集した複数の稼動単位宛スタート数の統計分布から稼動単位宛スタート数の代表値を算出し、前記稼動単位宛始動入賞数収集手段が収集した複数の稼動単位宛始動入賞数の統計分布から稼動単位宛始動入賞数の分散を算出し、前記稼動単位宛スタート数収集手段が収集した複数の稼動単位宛スタート数の統計分布から稼動単位宛スタート数の分散を算出する統計処理算出手段と、
前記稼動単位宛始動入賞数の代表値と前記稼動単位宛スタート数の代表値との乖離程度を評価して第１の評価値を生成し、前記稼動単位宛始動入賞数の分散と前記稼動単位宛スタート数の分散との乖離程度を評価して第２の評価値を生成する評価値生成手段と、を備えることを特徴とする遊技システム。
【請求項４】
遊技場の目標値として定めた稼動単位宛スタート数を入力する稼動単位宛スタート数入力手段と、
前記稼動単位宛スタート数入力手段により入力された稼動単位宛スタート数、前記第１の評価値及び前記第２の評価値に基づいて、前記稼動単位宛スタート数の営業結果を得るための稼動単位宛始動入賞数を算出する補正稼動単位宛始動入賞数出力手段と、を備えることを特徴とする請求項３に記載の遊技システム。
【請求項５】
前記補正稼動単位宛始動入賞数出力手段は、
前記第１の評価値により稼動単位宛スタート数の補正量を算出し、
前記第２の評価値により前記補正量の大きさを加減することを特徴とする請求項４に記載の遊技システム。
【請求項６】
前記遊技用装置に対応して設けられた情報収集端末装置と、
前記情報収集端末装置を管理する遊技場内部管理装置と、
前記遊技場内部管理装置と通信可能な遊技場外部管理装置と、を備える遊技システムであって、
前記情報収集端末装置は、前記稼動単位宛始動入賞数収集手段と前記稼動単位宛スタート数収集手段とを有し、
前記遊技場内部管理装置は、
前記情報収集端末装置から前記稼動単位宛始動入賞数と稼動単位宛スタート数とを収集する情報収集手段と、前記統計処理算出手段とを有し、
前記遊技場外部管理装置は、前記評価値生成手段と前記補正稼動単位宛始動入賞数出力手段とを有することを特徴とする請求項５に記載の遊技システム。
【手続補正２】
【補正対象書類名】明細書
【補正対象項目名】００１６
【補正方法】変更
【補正の内容】
【００１６】
第１の発明は、始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、所定量の稼動毎の始動入賞数である稼動単位宛始動入賞数を収集する稼動単位宛始動入賞数収集手段と、所定量の稼動毎の変動表示ゲーム実行回数である稼動単位宛スタート数を収集する稼動単位宛スタート数収集手段と、前記稼動単位宛始動入賞数収集手段が収集した複数の稼動単位宛始動入賞数の統計分布から稼動単位宛始動入賞数の代表値を算出し、前記稼動単位宛スタート数収集手段が収集した複数の稼動単位宛スタート数の統計分布から稼動単位宛スタート数の代表値を算出する統計処理算出手段と、前記稼動単位宛始動入賞数の代表値と前記稼動単位宛スタート数の代表値との乖離程度を評価して評価値を生成する評価値生成手段と、を備える。
【手続補正３】
【補正対象書類名】明細書
【補正対象項目名】００１７
【補正方法】変更
【補正の内容】
【００１７】
第２の発明は、始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、所定量の稼動毎の始動入賞数である稼動単位宛始動入賞数を収集する稼動単位宛始動入賞数収集手段と、所定量の稼動毎の変動表示ゲーム実行回数である稼動単位宛スタート数を収集する稼動単位宛スタート数収集手段と、前記稼動単位宛始動入賞数収集手段が収集した複数の稼動単位宛始動入賞数の統計分布から稼動単位宛始動入賞数の分散を算出し、前記稼動単位宛スタート数収集手段が収集した複数の稼動単位宛スタート数の統計分布から稼動単位宛スタート数の分散を算出する統計処理算出手段と、前記稼動単位宛始動入賞数の分散と前記稼動単位宛スタート数の分散との乖離程度を評価して評価値を生成する評価値生成手段と、を備える。
【手続補正４】
【補正対象書類名】明細書
【補正対象項目名】００１８
【補正方法】変更
【補正の内容】
【００１８】
第３の発明は、始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、所定量の稼動毎の始動入賞数である稼動単位宛始動入賞数を収集する稼動単位宛始動入賞数収集手段と、所定量の稼動毎の変動表示ゲーム実行回数である稼動単位宛スタート数を収集する稼動単位宛スタート数収集手段と、前記稼動単位宛始動入賞数収集手段が収集した複数の稼動単位宛始動入賞数の統計分布から稼動単位宛始動入賞数の代表値を算出し、前記稼動単位宛スタート数収集手段が収集した複数の稼動単位宛スタート数の統計分布から稼動単位宛スタート数の代表値を算出し、前記稼動単位宛始動入賞数収集手段が収集した複数の稼動単位宛始動入賞数の統計分布から稼動単位宛始動入賞数の分散を算出し、前記稼動単位宛スタート数収集手段が収集した複数の稼動単位宛スタート数の統計分布から稼動単位宛スタート数の分散を算出する統計処理算出手段と、前記稼動単位宛始動入賞数の代表値と前記稼動単位宛スタート数の代表値との乖離程度を評価して第１の評価値を生成し、前記稼動単位宛始動入賞数の分散と前記稼動単位宛スタート数の分散との乖離程度を評価して第２の評価値を生成する評価値生成手段と、を備える。
【手続補正５】
【補正対象書類名】明細書
【補正対象項目名】００２２
【補正方法】変更
【補正の内容】
【００２２】
第１の発明によれば、始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、所定量の稼動毎の始動入賞数である稼動単位宛始動入賞数を収集する稼動単位宛始動入賞数収集手段と、所定量の稼動毎の変動表示ゲーム実行回数である稼動単位宛スタート数を収集する稼動単位宛スタート数収集手段と、前記稼動単位宛始動入賞数収集手段が収集した複数の稼動単位宛始動入賞数の統計分布から稼動単位宛始動入賞数の代表値を算出し、前記稼動単位宛スタート数収集手段が収集した複数の稼動単位宛スタート数の統計分布から稼動単位宛スタート数の代表値を算出する統計処理算出手段と、前記稼動単位宛始動入賞数の代表値と前記稼動単位宛スタート数の代表値との乖離程度を評価して評価値を生成する評価値生成手段と、を備えることによって、始動入賞を標本とする統計分布から算出される代表値と、スタート数を標本とする統計分布から算出される代表値との乖離程度を評価する。これによって、遊技場毎に異なる客層の技量を把握することができる。
【手続補正６】
【補正対象書類名】明細書
【補正対象項目名】００２３
【補正方法】変更
【補正の内容】
【００２３】
第２の発明によれば、始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、所定量の稼動毎の始動入賞数である稼動単位宛始動入賞数を収集する稼動単位宛始動入賞数収集手段と、所定量の稼動毎の変動表示ゲーム実行回数である稼動単位宛スタート数を収集する稼動単位宛スタート数収集手段と、前記稼動単位宛始動入賞数収集手段が収集した複数の稼動単位宛始動入賞数の統計分布から稼動単位宛始動入賞数の分散を算出し、前記稼動単位宛スタート数収集手段が収集した複数の稼動単位宛スタート数の統計分布から稼動単位宛スタート数の分散を算出する統計処理算出手段と、前記稼動単位宛始動入賞数の分散と前記稼動単位宛スタート数の分散との乖離程度を評価して評価値を生成する評価値生成手段と、を備えることによって、始動入賞を標本とする統計分布から算出される分散と、スタート数を標本とする統計分布から算出される分散との乖離程度を評価する。これによって、遊技場毎に異なる客層の多様度を把握することができる。
【手続補正７】
【補正対象書類名】明細書
【補正対象項目名】００２４
【補正方法】変更
【補正の内容】
【００２４】
第３の発明によれば、始動入賞口への遊技球の入賞に基づき変動表示ゲームを実行可能であるとともに前記始動入賞口への入賞を始動記憶として所定の上限数の範囲で記憶可能な遊技用装置から、遊技に関する情報を収集し、収集した前記情報を管理する遊技システムにおいて、所定量の稼動毎の始動入賞数である稼動単位宛始動入賞数を収集する稼動単位宛始動入賞数収集手段と、所定量の稼動毎の変動表示ゲーム実行回数である稼動単位宛スタート数を収集する稼動単位宛スタート数収集手段と、前記稼動単位宛始動入賞数収集手段が収集した複数の稼動単位宛始動入賞数の統計分布から稼動単位宛始動入賞数の代表値を算出し、前記稼動単位宛スタート数収集手段が収集した複数の稼動単位宛スタート数の統計分布から稼動単位宛スタート数の代表値を算出し、前記稼動単位宛始動入賞数収集手段が収集した複数の稼動単位宛始動入賞数の統計分布から稼動単位宛始動入賞数の分散を算出し、前記稼動単位宛スタート数収集手段が収集した複数の稼動単位宛スタート数の統計分布から稼動単位宛スタート数の分散を算出する統計処理算出手段と、前記稼動単位宛始動入賞数の代表値と前記稼動単位宛スタート数の代表値との乖離程度を評価して第１の評価値を生成し、前記稼動単位宛始動入賞数の分散と前記稼動単位宛スタート数の分散との乖離程度を評価して第２の評価値を生成する評価値生成手段と、を備えることによって、始動入賞を標本とする統計分布から算出される代表値及び分散と、スタート数を標本とする統計分布から算出される代表値及び分散との乖離程度を評価する。これによって、遊技場毎に異なる客層の技量を把握することができる。